(57)【特許請求の範囲】
【請求項１】
間隔をおいて両側にそれぞれ建てられたスーパーコラムと、地表面から所定寸法上方の同じレベルに間隔をおいて配されてその両端がスーパーコラムに結合された少なくとも２つの下層スーパービームと、下層スーパービームから所定寸法上方の同じレベルに間隔をおいて配されてその両端がスーパーコラムに結合された少なくとも２つの中層スーパービームと、中層スーパービームから所定寸法上方の同じレベルに間隔をおいて配されてその両端がスーパーコラムに結合された少なくとも２つの上層スーパービームを含み、下層スーパービームと中層スーパービームとの間及び中層スーパービームと上層スーパービームとの間に配されてその両端がスーパーコラムに結合され、かつ複数の間柱を介して下層及び中層スーパービーム又は中層及び上層スーパービームに結合されている中間部の多数層の床支躯体を含み、下層、中層及び上層スーパービームが下弦材、上弦材、束柱、筋かい等を結合して構成されている多層構造物の建方工法において、両側のスーパーコラムを構築しながら、下層の同じレベルに間隔をおいて配する少なくとも２つの下層スーパービームを組み立てて、その両端をスーパーコラムに接合し、下層スーパービーム間に床を支持する床支躯体をその端を下層スーパービーム及びスーパーコラムに結合して少なくとも１層架設し、下層スーパービームの上側に下層スーパービームに結合されて建っている複数の間柱に梁を結合してなる床支躯体をその両端をスーパーコラムに結合して前記間柱の下方から上方へ順に間隔をおいて多数層架設し、下層スーパービームと中層スーパービームとの間を連結する各間柱を建てるときに、それらの中間の後記の切り離し個所に間柱の節の仮接合部が位置するようにして、前記仮接合部では下方の間柱の節の上端と上方の間柱の節の下端との間に隙間をあけて、下方の節の間柱の上側に上方の節の間柱を建てて下方の間柱の節の上部と上方の間柱の節の下部とを仮接合具を使って仮接合しておくようにし、下層スーパービームの上側に架設した多数層の床支躯体の最も上のものの上側に建っている間柱に結合して、中層の同じレベルに間隔をおいて配する少なくとも２つの中層スーパービームを架設し、中層スーパービームの両端をスーパーコラムに接合し、中層スーパービーム間に床を支持する床支躯体をその端を中層スーパービーム及びスーパーコラムに結合して少なくとも１層架設し、中層スーパービームの上側に中層スーパービームに結合されて建っている複数の間柱に梁を結合してなる床支躯体を前記間柱の下方から上方へ順に間隔をおいて多数層架設し、中層スーパービームと上層スーパービームとの間を連結する各間柱を建てるときに、それらの中間の後記の切り離し個所に間柱の節の仮接合部が位置するようにして、この仮接合部を下層スーパービームと中層スーパービームとの間を連結する間柱の中間の切り離し箇所の間柱の節の前記の仮接合部と同じにし、中層スーパービームの上側に架設した多数層の床支躯体の最も上のものの上側に建っている間柱に結合して、上層の同じレベルに間隔をおいて少なくとも２つの上層スーパービームを架設し、上層スーパービームの両端をスーパーコラムに接合し、上層スーパービーム間に床を支持する床支躯体をその端を上層スーパービーム及びスーパーコラムに結合して少なくとも１層架設し、中層スーパービームの架設又は中層スーパービームの上側への複数の間柱に結合しての床を支持する床支躯体の１層以上の架設と、少なくとも下層スーパービームと中層スーパービームとの中間の部分以下の各床支躯体上へのコンクリート床の形成とを条件として、下層スーパービームと中層スーパービームとを連結する各間柱の中間を前記仮接合部で切り離し、この間柱の切り離し部より上方の中層スーパービームに支持される床支躯体等の荷重の一部が下層スーパービームにかからないようにし、また、上層スーパービームの架設と、少なくとも中層スーパービームと上層スーパービームとの中間の部分以下の各床支躯体上へのコンクリート床の形成とを条件として、中層スーパービームと上層スーパービームとを連結する各間柱の中間を前記仮接合部で切り離し、この間柱の切り離し部より上方の上層スーパービームに支持される床支躯体等の荷重の一部が中層スーパービームにかからないようにし、少なくとも各床支躯体上へコンクリート床を設けることにより下層、中層及び上層スーパービームに所定の荷重がかかった状態にした後に、各間柱の切り離し部を本接合することを特徴とする３層のスーパービームを備えた多層構造物の建方工法。
【請求項２】
下層の同じレベルに間隔をおいて配する少なくとも２つの下層スーパービームをスーパーコラム間の下部に仮設した複数の架台上において組み立てて、その両端をスーパーコラムに接合し、各下層スーパービームの下弦材間及び上弦材間に床を支持する床支躯体を前記下弦材又は上弦材及びスーパーコラムにその端を結合してそれぞれ架設し、下層スーパービームの上側に下層スーパービームに結合して建てられている複数の間柱に梁を結合してなる床支躯体をスーパーコラムにその端を結合して１層架設した後に、各架台を撤去し、それから、下層スーパービームの上方へ架設した前記１層の床支躯体の上側にこれと結合して建てられる複数の間柱に梁を結合してなる床支躯体を前記間柱の下方から上方へ順に間隔をおいて多数層架設することを特徴とする請求項１に記載の３層のスーパービームを備えた多層構造物の建方工法。
【請求項３】
架設時にむくりを付けて下層、中層及び上層スーパービームを形成して、下層スーパービームと中層スーパービームとを連結する間柱の中間を仮接合部で切り離した直後に、下層スーパービームのむくり量がマイナスの小さな値になり、中層スーパービームと上層スーパービームとを連結する間柱の中間を仮接合部で切り離した直後に、中層スーパービーム及び上層スーパービームのむくり量がマイナスの小さな値になるようにすることを特徴とする請求項１又は２に記載の３層のスーパービームを備えた多層構造物の建方工法。
【発明の詳細な説明】
【０００１】
【発明の属する技術分野】
この発明は、多層構造物の建方工法、特に、第１及び第２スーパーコラム間に、上下方向に間隔をおいて複数層のスーパービームを架設し、該スーパービーム間に複数層の床を支持する床支躯体を架設する多層構造物の建方工法に関する。
【０００２】
【従来の技術】
複数階に相当する上下方向の吹き抜け空間のアトリウムを構造物の下層の中央部に形成した多層構造物がある。
従来の吹き抜けのアトリウムを備えた多層構造物の建方工法には、例えば、ベント（橋脚）架台を使う工法がある。このベント架台を使う工法は、吹き抜けのアトリウムを形成すべき箇所の空間の底部の複数の箇所に、前記空間の高さと略一致する高さを有するベント架台をそれぞれ設け、前記空間の上部を構成する複数層をベント架台で支持しながら、多層構造物を構築し、前記空間の上部の複数層の構造物のベント架台による支持が不要になった段階になってから、各ベント架台を取り払うものである。
また、重層式免震制振構造物の建方工法には、柱及び梁からなる複数層の大架構を構築し、大架構の各層の内部空間に、それぞれ複数層の床又は梁床からなる小架構群を、大架構の内部空間の周囲との間に隙間が形成されるように、大架構の前記梁から吊り下げた吊り材を介して懸吊支持し、前記小架構群の床又は梁床を吊り材の先端及び中間部に固定する建方工法（例えば、特公平５−２０７３号公報参照）がある。
【０００３】
【発明が解決しようとする課題】
上記の従来のベント架台を使う工法は、アトリウムとなる吹き抜けの空間の上側に多数層の構造体を構築する場合には、それを支持する各ベント架台に大きな荷重が作用するため、アトリウムを形成すべき箇所の空間の底部を補強したり、ベント架台を強化したりする必要があり、前記補強及び強化に多くの手間や費用がかかる欠点がある。また、ベント架台を設けておく期間が長くなり、前記空間の下部等の構造体の仕上工事等の着手が遅れる欠点がある。さらに、ベント架台を解体すると、建造中の建物が変形するため、ベント架台の解体後でないと、外装工事等ができない欠点もある。
前記の従来の重層式免震制振構造物の建方工法には、大架構の各梁にかかる荷重は、その梁から吊り下げた吊り材を介して懸吊支持する小架構群の数により決まるから、各梁にかかる荷重を均等化することは容易であるが、大きな荷重を吊り材のみで支持するため、高強度の吊り材を使ったり、吊り材の数を多くしたりする必要がある。また、複数層の床又は梁床からなる小架構群を、大架構の各層の内部空間の周囲の部分との間に隙間が形成されるように、大架構の各梁から吊り下げた吊り材を介して懸吊支持するため、小架構群の形状、配置が制約される欠点もある。さらに、小架構群の床又は梁床を吊り材の先端及び中間部に固定する作業には、多くの仮設の足場、架台等が必要であり、施工性の点でも劣っている。
この発明の解決しようとする課題は、上記のような従来技術の欠点を有しない多層構造物の建方工法を提供すること、換言すると、下層、中層及び上層スーパービームの負担荷重の均等化が容易で、仮設架台の設置部の補強が簡単で、仮設架台の設置期間が短く、仮設の足場、架台等の使用も通常の鉄骨造の多層構造物の建方と同程度で、多層構造物の建方中にその下部層から外装、仕上等の工事が可能で、施工性のよい多層構造物の建方工法を提供することにある。
【０００４】
【課題を解決するための手段】
この発明は前記課題を解決し得るものであり、この発明の３層のスーパービームを備えた多層構造物の建方工法は、間隔をおいて両側にそれぞれ建てられたスーパーコラムと、地表面から所定寸法上方の同じレベルに間隔をおいて配されてその両端がスーパーコラムに結合された少なくとも２つの下層スーパービームと、下層スーパービームから所定寸法上方の同じレベルに間隔をおいて配されてその両端がスーパーコラムに結合された少なくとも２つの中層スーパービームと、中層スーパービームから所定寸法上方の同じレベルに間隔をおいて配されてその両端がスーパーコラムに結合された少なくとも２つの上層スーパービームを含み、下層スーパービームと中層スーパービームとの間及び中層スーパービームと上層スーパービームとの間に配されてその両端がスーパーコラムに結合され、かつ複数の間柱を介して下層及び中層スーパービーム又は中層及び上層スーパービームに結合されている中間部の多数層の床支躯体を含み、下層、中層及び上層スーパービームが下弦材、上弦材、束柱、筋かい等を結合して構成されている多層構造物の建方工法において、両側のスーパーコラムを構築しながら、下層の同じレベルに間隔をおいて配する少なくとも２つの下層スーパービームを組み立てて、その両端をスーパーコラムに接合し、下層スーパービーム間に床を支持する床支躯体をその端を下層スーパービーム及びスーパーコラムに結合して少なくとも１層架設し、下層スーパービームの上側に下層スーパービームに結合されて建っている複数の間柱に梁を結合してなる床支躯体をその両端をスーパーコラムに結合して前記間柱の下方から上方へ順に間隔をおいて多数層架設し、下層スーパービームと中層スーパービームとの間を連結する各間柱を建てるときに、それらの中間の後記の切り離し個所に間柱の節の仮接合部が位置するようにして、前記仮接合部では下方の間柱の節の上端と上方の間柱の節の下端との間に隙間をあけて、下方の節の間柱の上側に上方の節の間柱を建てて下方の間柱の節の上部と上方の間柱の節の下部とを仮接合具を使って仮接合しておくようにし、下層スーパービームの上側に架設した多数層の床支躯体の最も上のものの上側に建っている間柱に結合して、中層の同じレベルに間隔をおいて配する少なくとも２つの中層スーパービームを架設し、中層スーパービームの両端をスーパーコラムに接合し、中層スーパービーム間に床を支持する床支躯体をその端を中層スーパービーム及びスーパーコラムに結合して少なくとも１層架設し、中層スーパービームの上側に中層スーパービームに結合されて建っている複数の間柱に梁を結合してなる床支躯体を前記間柱の下方から上方へ順に間隔をおいて多数層架設し、中層スーパービームと上層スーパービームとの間を連結する各間柱を建てるときに、それらの中間の後記の切り離し個所に間柱の節の仮接合部が位置するようにして、この仮接合部を下層スーパービームと中層スーパービームとの間を連結する間柱の中間の切り離し箇所の間柱の節の前記の仮接合部と同じにし、中層スーパービームの上側に架設した多数層の床支躯体の最も上のものの上側に建っている間柱に結合して、上層の同じレベルに間隔をおいて少なくとも２つの上層スーパービームを架設し、上層スーパービームの両端をスーパーコラムに接合し、上層スーパービーム間に床を支持する床支躯体をその端を上層スーパービーム及びスーパーコラムに結合して少なくとも１層架設し、中層スーパービームの架設又は中層スーパービームの上側への複数の間柱に結合しての床を支持する床支躯体の１層以上の架設と、少なくとも下層スーパービームと中層スーパービームとの中間の部分以下の各床支躯体上へのコンクリート床の形成とを条件として、下層スーパービームと中層スーパービームとを連結する各間柱の中間を前記仮接合部で切り離し、この間柱の切り離し部より上方の中層スーパービームに支持される床支躯体等の荷重の一部が下層スーパービームにかからないようにし、また、上層スーパービームの架設と、少なくとも中層スーパービームと上層スーパービームとの中間の部分以下の各床支躯体上へのコンクリート床の形成とを条件として、中層スーパービームと上層スーパービームとを連結する各間柱の中間を前記仮接合部で切り離し、この間柱の切り離し部より上方の上層スーパービームに支持される床支躯体等の荷重の一部が中層スーパービームにかからないようにし、少なくとも各床支躯体上へコンクリート床を設けることにより下層、中層及び上層スーパービームに所定の荷重がかかった状態にした後に、各間柱の切り離し部を本接合することを特徴とするものである。
【０００５】
この発明の好適な実施形態においては、下層の同じレベルに間隔をおいて配する少なくとも２つの下層スーパービームをスーパーコラム間の下部に仮設した複数の架台上において組み立てて、その両端をスーパーコラムに接合し、各下層スーパービームの下弦材間及び上弦材間に床を支持する床支躯体を前記下弦材又は上弦材及びスーパーコラムにその端を結合してそれぞれ架設し、下層スーパービームの上側に下層スーパービームに結合して建てられている複数の間柱に梁を結合してなる床支躯体をスーパーコラムにその端を結合して１層架設した後に、各架台を撤去し、それから、下層スーパービームの上方へ架設した前記１層の床支躯体の上側にこれと結合して樹立している複数の間柱に梁を結合してなる床支躯体を前記間柱の下方から上方へ順に間隔をおいて多数層架設するようにする。
【０００６】
この発明の好ましい実施形態においては、次の（１）〜（３）ようにする。
（１）架設時にむくりを付けて下層、中層及び上層スーパービームを形成して、下層スーパービームと中層スーパービームとを連結する間柱の中間を仮接合部で切り離した直後に、下層スーパービームのむくり量がマイナスの小さな値になり、中層スーパービームと上層スーパービームとを連結する間柱の中間を仮接合部で切り離した直後に、中層スーパービーム及び上層スーパービームのむくり量がマイナスの小さな値になるようにして、多層構造物の完成後になっても、各スーパービームの中途が略水平に維持できるようにする。
（２）同じレベルに間隔をおいて配する下層又は中層スーパービームと同じレベルに間隔をおいて配する少なくとも２つの中層又は上層スーパービームとを連結する複数の間柱の切り離すべき個所を仮接合具を使って仮接合しておき、仮接合具の部分で間柱の中間の切り離しを行うようにする。このようにすると、間柱の切り離し及び切り離し後の本接合（再接合）が容易になる。
（３）下層スーパービームに少なくとも下層スーパービームが分担する複数層の床支躯体及びこれらの上のコンクリート床を間柱を介して支持させ、かつ中層スーパービームに少なくとも中層スーパービームが分担する複数層の床支躯体及びこれらの上のコンクリート床を間柱を介して支持させた後に、下層スーパービームと中層スーパービームとを連結する複数の間柱の切り離し部の本接合（再接合）を行う。また、中層スーパービームに少なくとも中層スーパービームが分担する複数層の床支躯体及びこれらの上のコンクリート床を間柱を介して支持させ、かつ上層スーパービームに少なくとも上層スーパービームが分担する複数階の床支躯体及びこれらの上のコンクリート床を間柱を介して支持させた後に、中層スーパービームと上層スーパービームとを連結する複数の間柱の切り離し部の本接合（再接合）を行う。
【０００７】
【実施例】
実施例は、図１〜図１７に示され、この出願の発明を下層、中層及び上層のスーパービームを備えた地下２階で地上２０階の構造物の建方に適用した例である。  図１及び図２に示すように、構造物１０を建築すべき箇所の地中に間隔をおいて複数の基礎台柱Ｆｍ1及び基礎壁Ｆｍ2を形成し、基礎台柱Ｆｍ1、基礎壁Ｆｍ2等の間を基礎梁Ｆｍ3等で連結して、構造物１０の基礎Ｆｍを形成する。
基礎Ｆｍの左側部の上に、図１、図２、図６及び図７に示すように、１２本の鉄骨造の第１節の柱Ｃ1、梁Ｂ1〜Ｂ4等を建て込んで、左側の平面視が矩形の第１スーパーコラムＳＣ１の地下２階ＢＦ２、地下１階ＢＦ１及び地上１階Ｆ１の躯体を構築する。
基礎Ｆｍの右側部の上に、図１、図２、図６及び図７に示すように、１２本の鉄骨造の第１節の柱Ｃ1、梁Ｂ1〜Ｂ4等を建て込んで、右側の平面視が矩形の第２スーパーコラムＳＣ２の地下２階ＢＦ２、地下１階ＢＦ１及び地上１階Ｆ１の躯体を構築する。
基礎Ｆｍの中間部の上に、図１、図６及び図７に示すように、複数の鉄骨造の柱Ｃ、梁Ｂ5等を建て込んで、中間部３の地下２階ＢＦ２，地下１階ＢＦ１、地上１階Ｆ１の躯体３ａを構築し、この躯体３ａの上面で地上１階Ｆ１の床３ａ1を支持する。
そして、第１及び第２コラムＳＣ１，ＳＣ２の第１節の柱Ｃ1等からなる躯体は、その必要箇所の床や壁を、例えば、鉄筋コンクリト造等で構築して強化する。また、中間部３の地下２階ＢＦ２及び地下１階ＢＦ１の躯体３ａは、その必要箇所（特に、ベント架台４の設置部）の床や壁を、例えば、鉄筋コンクリト造等で構築して強化して、後述するベント架台４を介して中間部３の躯体３ａや床３ａ1に作用する下層スーパービームＳＢ１等の荷重に耐え得るようにする。
【０００８】
図１、図２及び図７に示すように、第１及び第２スーパーコラムＳＣ１，ＳＣ２の第１節の柱Ｃ1等からなる１階Ｆ１の躯体の上に、１２本の鉄骨造の第２節の柱Ｃ2、梁Ｂ1〜Ｂ4、筋かいＤｂ1，Ｄｂ2等を建て込んで、平面視が矩形の第１及び第２コラムＳＣ１，ＳＣ２の２階Ｆ２及び３階Ｆ２の躯体を構築する。
図３及び図８に示すように、中間部３の地上１階の床３ａ1の上側のアトリウムとなる吹き抜けの空間Ａｓの前側部、中央部及び後側部の床３ａ1上に、空間Ａｓの高さと略一致する高さを有する複数（例えば、前側部が２台、中央部が４台及び後側部が２台で合計８台）のベント架台４を仮設する。
各ベント架台４の仮設の前又は後或いは仮設と並行して、図１、図２及び図８に示すように、第１及び第２コラムＳＣ１，ＳＣ２の第２節の柱Ｃ2等からなる３階Ｆ３の躯体の上に、１２本の鉄骨造の第３節の柱Ｃ3、梁Ｂ1〜Ｂ4、筋かいＤｂ1，Ｄｂ2等を建て込んで、平面視が矩形の第１及び第２コラムＳＣ１，ＳＣ２の４階Ｆ４〜６階Ｆ６の躯体を構築する。
【０００９】
図１、図３及び図９に示すように、第１及び第２スーパーコラムＳＣ１，ＳＣ２の４階Ｆ４及び５階Ｆ５の内側の前側及び後側の第３節の柱Ｃ３間の各ベント架台４の上側において前側及び後側の２つの下層スーパービームＳＢ１を構築する。
下層スーパービームＳＢ１は、下弦材ＳＢａ、上弦材ＳＢｂ、束柱ＳＢｃ、筋かいＳＢｄ及び間柱５ａ等で構成される。
下層スーパービームＳＢ１の束柱ＳＢｃ、筋かいＳＢｄ、間柱５ａ等の１部ＳＢｃ１、ＳＢｄ１、５ａ１を上側に付けた下弦部材ＳＢａ１等を、第１及び第２コラムＳＣ１の４階Ｆ４の内側の前側及び後側の第３節の柱Ｃ３間の各ベント架台４上で組み立てて下弦材ＳＢａに形成し、それを各ベント架台４で支持しながら、その下弦材ＳＢａの両端を第１及び第２コラムＳＣ１，ＳＣ２の内側の前側及び後側の４階Ｆ４の第３節の柱Ｃ３に接合する。
前側及び後側の下層スーパービームＳＢ１の下弦材ＳＢａの上側の間柱５ａの１部５ａ１の上端に間柱５ａの他の部分５ａ２を建ててその下端を接合する。それから、間柱５ａと各コラムＳＣ１，ＳＣ２の５階Ｆ５の内側の前側及び後側の第３節の柱Ｃ３との間並びに間柱５ａ間に、束柱ＳＢｃ、筋かいＳＢｄ等の他の１部ＳＢｃ２、ＳＢｄ２を下側に付けた上弦部材ＳＢｂ１を配し、各上弦部材ＳＢｂ１の束柱ＳＢｃ、筋かいＳＢｄの他の１部ＳＢｃ２、ＳＢｄ２を、下弦部材ＳＢａ１の前記１部ＳＢｃ１、ＳＢｄ１と接合し、かつ上弦部材ＳＢｂ１の両端を間柱５ａ又は各コラムＳＣ１，ＳＣ２の内側の前側及び後側の第３節の柱Ｃ３に接合して，下弦材ＳＢａ、上弦材ＳＢｂ、束柱ＳＢｃ、筋かいＳＢｄ、間柱５ａ等からなる下層スーパービームＳＢ１を構築する。
なお、第１節の間柱５ａ、第２節の間柱５ｂ、第３節の間柱５ｃ、第４節の間柱５ｄ、第５節の間柱５ｅ及び第６節の間柱５ｆは、図１６に示されているように、接合される。
【００１０】
図３及び図９に示すように、中間部３の前側及び後側の下層スーパービームＳＢ１の下弦材ＳＢａ間に、中間部３の４階Ｆ４の床を支持する５本の短手方向梁３ｂ２を間隔をおいて配し（前側及び後側の対の間柱５ａ間に配する短手方向梁３ｂ２は中央部に仮設した対のベント架台４で支持する）、各短手方向梁３ｂ２の両端を下弦材ＳＢａの間柱５ａ又は束柱ＳＢｃの部分と接合し、前記短手方向梁３ｂ２間及び前記短手方向梁と各コラムＳＣ１，ＳＣ２の４階Ｆ４の内側の短手方向梁Ｂ３との間に４本の長手方向梁３ｂ３を間隔をおいて配し、各長手方向梁３ｂ３の両端をそれに対面する短手方向梁３ｂ２又は各コラムＳＣ１，ＳＣ２の４階Ｆ４の内側の第３節の柱Ｃ３或いはそれら間に接合した内側の短手方向梁Ｂ３と接合し、中間部３の４階Ｆ４の床を支持する床支躯体３ｂを構築する。
図３及び図９に示すように、中間部３の前側及び後側の下層スーパービームＳＢ１の上弦材ＳＢｂ間に、前述の中間部３の４階Ｆ４の床を支持する床支躯体３ｂの構築と同じやり方で、上弦材ＳＢｂと一体に中間部３の５階Ｆ５の床を支持する床支躯体３ｃを構築する。
下層スーパービームＳＢ１の成Ｈ１は、このビームＳＢ１の両端を接合する第１及び第２コラムＳＣ１，ＳＣ２の４階Ｆ４の階高寸法Ｈ２と同じにしてある。
架設時の下層スーパービームＳＢ１には、むくり（起り）が付けられ、下弦材ＳＢａ及び上弦材ＳＢｂの中央から同じ距離だけ離して配した間柱５ａの部分が、下弦材ＳＢａ及び上弦部材ＳＢｂの各コラムＳＣ１，ＳＣ２の４階Ｆ４及び５階Ｆ５の第３節の柱Ｃ３への接合部よりも、同じ寸法（例えば、１０〜５０ｍｍ）だけ高くなっている。
【００１１】
図４及び図１０に示すように、前側及び後側の下層スーパービームＳＢ１の上弦材ＳＢｂの上側の間柱５ａと各コラムＳＣ１，ＳＣ２の内側の前側及び後側の６階Ｆ６の第３節の柱Ｃ3との間並びに間柱５ａ間に，中間部３の６階Ｆ６の床等を支持する外側梁３ｂ1を配し、各外側梁３ｂ1の両端を間柱５ａ又は各コラムＳＣ１，ＳＣ２の内側の前側及び後側の６階Ｆ６の第３節の柱Ｃ3と接合する。
そして、図４に示すように、前側及び後側の外側梁３ｂ1の中央部間及び前側及び後側の対の間柱５ａ間に短手方向梁３ｂ2をそれぞれ配し、各短手方向梁３ｂ2の両端を前側及び後側の外側梁３ｂ1又は間柱５ａと接合し、前記短手方向梁３ｂ2間及び各コラムＳＣ１，ＳＣ２の６階Ｆ６の内側の短手方向梁Ｂ3との間に４本の長手方向梁３ｂ3を間隔をおいて配し、各長手方向梁３ｂ3の両端をそれに対面する短手方向梁３ｂ2又は各コラムＳＣ１，ＳＣ２の６階Ｆ６の内側の第３節の柱Ｃ3或いはこれに接合した短手方向梁Ｂ3に接合して、中間部３の６階Ｆ６の床を支持する床支躯体３ｄを構築する。
その後、各ベント架台４の上端に配置したジャッキをジャッキダウンさせて、各ベント架台４を解体して撤去する。
第１及び第２コラムＳＣ１，ＳＣ２の第３節の柱Ｃ3等からなる躯体の建方工事、下層スーパービームＳＢ１及びこれに取り付く４階Ｆ４及び５階Ｆ５の床支躯体３ｂ，３ｃの建方工事及び中間部３の６階Ｆ６の床を支持する床支躯体３ｄの建方工事の工事中或いは工事終了後に、第１及び第２のコラムＳＣ１，ＳＣ２の２階Ｆ２及び３階Ｆ３のコンクリート床を形成する。
なお、コンクリート床の形成は、例えば、床を支持する梁等からなる床支躯体の上側に敷設した波型鉄板上へコンクリートを打設して行なう。
【００１２】
図１１に示すように、第１及び第２スーパーコラムＳＣ１，ＳＣ２の第３節の柱Ｃ3等からなる６階の躯体の上に、１２本の鉄骨造の第４節の柱Ｃ4、梁Ｂ1〜Ｂ4、筋かいＤｂ1，Ｄｂ2等を建て込んで、平面視が矩形の第１及び第２コラムＳＣ１，ＳＣ２の７階Ｆ７〜９階Ｆ９の躯体を構築する。
第１及び第２コラムＳＣ１，ＳＣ２の第４節の柱Ｃ4等からなる７階Ｆ７〜９階Ｆ９の躯体の建方工事の工事中又は工事終了後に、第１及び第２コラムＳＣ１，ＳＣ２の４階Ｆ４〜６階Ｆ６の床コンクリートの形成を行なう。
第１及び第２コラムＳＣ１，ＳＣ２の第４節の柱Ｃ4等からなる７階Ｆ７〜９階Ｆ９の躯体間の中間部３の６階Ｆ６の床支躯体３ｄの上側に、前記間柱５ａに対応させて間柱５ｂを建て、この間柱５ｂの下端を間柱５ａの上端と接合する。そして、床支躯体３ｄの構築と同じやり方で、中間部３の７階Ｆ７〜９階Ｆ９の床を支持する床支躯体３ｅ〜３ｇを構築する。
【００１３】
図１２に示すように、第１及び第２スーパーコラムＳＣ１，ＳＣ２の第４節の柱Ｃ4等からなる９階Ｆ９の上側に、１２本の鉄骨造の第５節の柱Ｃ5、梁Ｂ1〜Ｂ4、筋かいＤｂ1，Ｄｂ2等を建て込んで、平面視が矩形の第１及び第２コラムＳＣ１，ＳＣ２の１０階Ｆ１０〜１２階Ｆ１２の躯体を構築する。
中間部３の７階Ｆ７〜９階Ｆ９の床を支持する床支躯体３ｅ〜３ｇの建方工事の終了後に、中間部３の４階Ｆ４及び５階Ｆ５の床支躯体３ｂ，３ｃ上へのコンクリート床の形成を行なう。
中間部３の床支躯体上３ｂ，３ｃへのコンクリート床の形成が完了したら、必要に応じて、これらのコンクリート床上へ、中間部３の４階Ｆ４及び５階Ｆ５の躯体に取り付ける外装材、仕上材、諸設備等を揚重し、これらの階Ｆ４，Ｆ５の躯体に構造物の完成時と略等しい荷重をかけるようにする。なお、以下の中間部３の床支躯体上３ｄ〜３ｓ上へのコンクリート床の形成工事後も上記と同じである。
第１及び第２コラムＳＣ１，ＳＣ２の第５節の柱Ｃ5等からなる１０階Ｆ１０〜１２階Ｆ１２の躯体の建方工事の終了後に、第１及び第２コラムＳＣ１，ＳＣ２の７階Ｆ７〜９階Ｆ９の躯体へのコンクリート床の形成を行なう。
第１及び第２コラムＳＣ１，ＳＣ２の第５節の柱Ｃ5等からなる１０階Ｆ１０〜１２階Ｆ１２の躯体間の中間部３の９階Ｆ９の床支躯体３ｇの上側に、図１３に示すように、各間柱５ｂに対応させて間柱５ｃを建て、各間柱５ｃの下端を各間柱５ｂの上端に仮接合する。間柱５ｂと間柱５ｃとの仮接合は、例えば、図５に示す仮接合具６を使って行なう。
【００１４】
仮接合具６，７は、図５に示すように、互いに仮接合する一方の間柱５ｂ，５ｄの端よりの部分に放射状に溶接等により固着した多数のボルト孔のある鋼板製の接合片６ａ１，７ａ１と、互いに仮接合する他方の間柱５ｃ，５ｅの端よりの部分の周囲の前記接合片６ａ１，７ａ１と対応する位置に放射状に溶接等により固着した多数のボルト孔のある鋼板製の接合片６ａ２，７ａ２と、多数のボルト孔を穿った複数の鋼製の長矩形の接合板６ｂ，７ｂとで構成されている。
間柱５ｂの上側に間柱５ｃを配し、仮接合具６の間柱５ｂに溶接した接合片６ａ１のボルト孔と接合板６ｂの下側の半分の部分のボルト孔とを合わせて、それらのボルト孔にボルトを通し、接合片６ａ１に取り付けた接合板６ｂの上側の半分の部分のボルト孔と仮接合具６の間柱５ｃに溶接した接合片６ａ２のボルト孔とを合わせて、それらのボルト孔にボルトを通して、各ボルトのねじ部にナットをねじ込んで、間柱５ｂの上部に間柱５ｃの下部を仮接合する。
図５に示すように、仮接合部では、下方の間柱５ｂの上端と上方の間柱５ｃの下端との間に隙間があいていて、下方の間柱５ｂの上部に上方の間柱５ｃの下部が仮接合具６，７を介して確りと結合され、上方の間柱５ｃが下方の間柱５ｂの上側に建てられている。
【００１５】
図１３に示すように、中間部３の９階Ｆ９の床支躯体３ｇの上側に、１０階Ｆ１０及び１１階Ｆ１１の床を支持する床支躯体３ｈ，３ｉを構築する。その構築の仕方は、中間部３の６階Ｆ６の床支躯体３ｄの構築の仕方と同じである。
それから、中間部３の１１階Ｆ１１の床支躯体３ｉの上側の間柱５ｃと各コラムＳＣ１，ＳＣ２の１２階Ｆ１２の内側の前側及び後側の第５節の柱Ｃ５との間及び間柱５ｃ間に、中層スーパービームＳＢ２の束柱ＳＢｃ、筋かいＳＢｄの１部ＳＢｃ１，ＳＢｄ１等を上側に付けた下弦部材ＳＢａ１を配して、その下弦部材ＳＢａ１の両端を間柱５ｃ又は各コラムＳＣ１，ＳＣ２の内側の前側及び後側の１２階の第５節の柱Ｃ５と接合する。
前述の床支躯体３ｂの構築の仕方と同様のやり方で、中層スーパービームＳＢ２の下弦部材ＳＢａに１２階１２Ｆの床を支持する床支躯体３ｊを取り付ける。
中間部３の１０階Ｆ１０〜１２階Ｆ１２の床を支持する床支躯体３ｈ〜３ｊの架設工事の終了後に、中間部３の６階Ｆ６〜８階Ｆ８の床支躯体３ｄ〜３ｆ上へのコンクリート床の形成を行なう。
図１４に示すように、第１及び第２コラムＳＣ１，ＳＣ２の第５節の柱Ｃ５等からなる１２階Ｆ１２の躯体の上に、１２本の鉄骨造の第６節の柱Ｃ６、梁Ｂ１〜Ｂ４、筋かいＤｂ１，Ｄｂ２等を建て込んで、平面視が矩形の左側及び右側の各コラムＳＣ１，ＳＣ２の１３階Ｆ１３〜１５階Ｆ１５の躯体を構築する。
【００１６】
図１４に示すように、中間部３の１２階Ｆ１２の中層スーパービームＳＢ２の下弦材ＳＢａの上側に、各間柱５ｃに対応させて間柱５ｄを建て、間柱５ｄの下端を間柱５ｃの上端に接合する。
第１及び第２コラムＳＣ１，ＳＣ２の内側の前側及び後側の第６節の柱Ｃ６と間柱５ｄとの間及び間柱５ｄ間に、図９に示す下層スーパービームＳＢ１の構築の場合と同様に、束柱ＳＢｃ，筋かいＳＢｄ等の他の１部ＳＢｄ２，ＳＢｃ２が下側に付いた上弦部材ＳＢｂ１を配し、各上弦部材ＳＢｂ１の束柱ＳＢｃ、筋かいＳＢｄ等の他の１部ＳＢｃ２、ＳＢｄ２を前記下弦部材ＳＢａ１の束柱ＳＢｃ、筋かいＳＢｄ等の１部ＳＢｃ１、ＳＢｄ１と接合し、かつ各上弦部材ＳＢｂ１の両端を間柱５ｄ又は各コラムＳＣ１，ＳＣ２の内側の前側及び後側の１３階の第６節の柱Ｃ６と接合し、下弦材ＳＢａ、上弦材ＳＢｂ、束柱ＳＢｃ、筋かいＳＢｄ等からなる中層スーパービームＳＢ２を構築する。なお、中層スーパービームＳＢ２の構成は下層スーパービームＳＢ１の構成と同じにする。
前述の中間部３の５階の床を支持する床支躯体３ｃの構築の仕方と同じやり方で、中層スーパービームＳＢ２の上弦材ＳＢｂ間に１３階Ｆ１３の床を支持する床支躯体３ｋを取り付ける。
【００１７】
中層スーパービームＳＢ２の上弦材ＳＢｂの上側に、図１４に示すように、中間部３の１４階Ｆ１４及び１５階Ｆ１５の床を支持する床支躯体３ｌ，３ｍを構築する。その構築の仕方は、中間部３の６階Ｆ６の床支躯体３ｄの構築の仕方と同じである。
中間部３の１０階Ｆ１０〜１２階Ｆ１２の床を支持する床支躯体３ｈ〜３ｊの構築工事の終了後に、中間部３の６階Ｆ６〜８階Ｆ８の床支躯体３ｄ〜３ｆ上へのコンクリート床の形成を行なう。
また、第１及び第２スーパーコラムＳＣ１，ＳＣ２の第６節の柱Ｃ6等からなる１３階Ｆ１３〜１５階Ｆ１５の躯体の建方工事の終了後に、第１及び第２コラムＳＣ１，ＳＣ２の１０階Ｆ１０〜１２階Ｆ１２の躯体への床コンクリートの打設を行なう。
【００１８】
図１５に示すように、第１及び第２コラムＳＣ１，ＳＣ２の１５階Ｆ１５の第６節の柱Ｃ6の上に、１２本の鉄骨造の第７節の柱Ｃ7、梁Ｂ1〜Ｂ4、筋かいＤｂ1，Ｄｂ2等を建て込んで、平面視が矩形の第１及び第２コラムＳＣ１，ＳＣ２の１６階Ｆ１６〜１８階Ｆ１８の躯体を構築する。
第１及び第２コラムＳＣ１，ＳＣ２の１６階Ｆ１６〜１８階Ｆ１８の躯体間の中央部３に各間柱５ｄに対応させて間柱５ｅを建て、間柱５ｅの下端を図５に示す仮接合具７を使ってを間柱５ｄの上端に仮接合する。この仮接合の仕方は前述の間柱５ｂと間柱５ｃとの接合の場合と同じである。
第１及び第２スーパーコラムＳＣ１，ＳＣ２の１６階Ｆ１６〜１８階Ｆ１８の躯体間の中間部３の１５階の床を支持する床支躯体３ｍの上側に、中間部３の１６階Ｆ１６〜１８階Ｆ１８の床を支持する床支躯体３ｎ〜３ｐを構築する。その構築のやり方は、前述の中間部３の６階の床支躯体３ｄの構築のやり方と同じである。
【００１９】
中間部３の１３階Ｆ１３〜１５階Ｆ１５の床を支持する床支躯体３ｋ〜３ｍの構築工事の終了後に、中間部３の９階Ｆ９〜１１階Ｆ１１の床支躯体３ｇ〜３ｉ上へのコンクリート床の形成を行なう。
その後、仮接合具６による間柱５ｂの上端と間柱５ｃの下端との仮接合を、その仮接合具６の接合板６ｂを外して、間柱５ｂと間柱５ｃとの仮接合を解き、間柱５ｂと間柱５ｃとの連結を解放する、すなわち、間柱５ｂと間柱５ｃとの仮接合部で切り離す。
そして、第１及び第２コラムＳＣ１，ＳＣ２の第７節の柱Ｃ７等からなる１６階Ｆ１６〜１８階Ｆ１８の躯体の建方工事の終了後に、第１及び第２コラムＳＣ１，ＳＣ２の１３階Ｆ１３〜１５階Ｆ１５の躯体へのコンクリート床の形成を行なう。
図１６に示すように、第１及び第２スーパーコラムＳＣ１，ＳＣ２の１８階Ｆ１８の第７節の柱Ｃ７の上に、１２本の鉄骨造の第８節の柱Ｃ８、梁Ｂ１〜Ｂ４、筋かいＤｂ１，Ｄｂ２等を建て込んで、平面視が矩形の第１及び第２コラムＳＣ１，ＳＣ２の地上１９階〜２１階の躯体を構築する。
第１及び第２コラムＳＣ１，ＳＣ２の１９階Ｆ１９〜２１階Ｆ２１の躯体間の中間部３に各間柱５ｅに対応させて間柱５ｆを建て、各間柱５ｆの下端を間柱５ｅの上端に接合する。
第１及び第２コラムＳＣ１，ＳＣ１の１９階Ｆ１９〜２１階Ｆ２１の躯体の間の中間部３の１８階Ｆ１８の床支躯体３ｐの上側に、中間部３の１９階Ｆ１９の床を支持する床支躯体３ｑを構築する。その構築の仕方は、中間部３の６階Ｆ６の床支躯体３ｄを構築の仕方と同じである。
【００２０】
中間部３の１９階Ｆ１９の床支躯体３ｑの上側の間柱５ｆと第１及び第２コラムＳＣ１，ＳＣ２の２０階Ｆ２０の内側の前側及び後側の第８節の柱Ｃ８との間及び間柱５ｆ間に、図９に示す下層スーパービームＳＢ１の構築の場合と同様に、上層スーパービームＳＢ３の下弦材ＳＢａを構成する束柱ＳＢｃ、筋かいＳＢｄ等の１部ＳＢｃ１、ＳＢｄ１が上側に付いた下弦部材ＳＢａ１を配し、下弦部材ＳＢａ１の両端を間柱５ｆ又は各コラムＳＣ１，ＳＣ２の内側の前側又は後側の２０階Ｆ２０の第８節の柱Ｃ８と接合し、かつ中間部３の４階Ｆ４の床を支持する床支躯体３ｂの構築の仕方と同様のやり方で、中間部３の２０階Ｆ２０の床を支持する床支躯体３ｒを構築する。
中間部３の１６階Ｆ１６〜１８階Ｆ１８の床を支持する床支躯体３ｎ〜３ｐの構築工事の終了後に、中間部３の１２階Ｆ１２〜１４階Ｆ１４の床支躯体３ｊ〜３ｌ上へのコンクリート床の形成を行なう。
また、第１及び第２コラムＳＣ１，ＳＣ２の第８節の柱Ｃ８等からなる１９階Ｆ１９〜２１階Ｆ２１の躯体の建方工事の終了後に、第１及び第２コラムＳＣ１，ＳＣ２の１６階Ｆ１６〜１８階Ｆ１８の建物躯体へのコンクリート床の形成を行なう。
【００２１】
中間部３の２０階Ｆ２０の床を支持する躯体３ｒの上側の間柱５ｆと各コラムＳＣ１，ＳＣ２の内側の前側及び後側の２１階の第８節の柱Ｃ８との間並びに間柱５ｆ間に、図９に示す下層スーパービームＳＢ１の構築の場合と同様に、束柱ＳＢｃ、筋かいＳＢｄ等の他の１部ＳＢｃ２，ＳＢｄ２が下側に付いた上弦部材ＳＢｂ１を配し、各上弦部材ＳＢｂ１の束柱ＳＢｃ、筋かいＳＢｄ等の他の１部ＳＢｃ２、ＳＢｄ２を前記上層スーパービームＳＢ３の下弦材ＳＢａの下弦部材ＳＢａ１の束柱ＳＢｃ、筋かいＳＢｄ等の１部ＳＢｃ１、ＳＢｄ１と接合し、かつ各上弦部材ＳＢｂ１の両端を間柱５ｆ又は前記２１階の第８節の柱Ｃ８と接合して、上弦材ＳＢｂを構成して、上層スーパービームＳＢ３を構築する。
上層スーパービームＳＢ２の上弦材ＳＢｂに、中間部３の屋上階（２１階）の床を支持する床支躯体３ｓを構築する。その構築の仕方は、中間部３の５階の床支躯体３ｃを構築の仕方と同じである。
中間部３の１９階Ｆ１９〜２１階Ｆ２１の床を支持する床支躯体３ｑ〜３ｓの建方工事の終了後に、中間部３の１５階Ｆ１５〜１７階Ｆ１７の床支躯体３ｍ〜３０上へのコンクリート床の形成を行なう。
その後、間柱５ｄの上端と間柱５ｅの下端との仮接合具７による仮接合を解き、間柱５ｄと間柱５ｅとの連結を解放する、すなわち、間柱５ｂと間柱５ｃとの仮接合部で切り離す。
また、第１及び第２コラムＳＣ１，ＳＣ２の１９階Ｆ１９〜２１階Ｆ２１の躯体へのコンクリート床の形成を行なう。
次に、中間部３の１８階Ｆ１９〜２０階Ｆ２０の床支躯体３ｐ〜３ｒ上へのコンクリートの形成を行う。その後、中間部３の屋上階（２１階）の床支躯体３ｓ上へのコンクリート床の形成を行なう。
【００２２】
構造物１０の中間部３の床支躯体３ｂ〜３ｇ等への外装材、仕上材等の取付は、例えば、仮接合具６による間柱５ｂと間柱５ｃとの連結部の切り離し（解放）後に順次行なう。また、構造物１０の中間部３の床支躯体３ｈ〜３ｓ上への外装材、仕上材等の取付は、例えば、仮接合具７による間柱５ｄと間柱５ｅとの連結部の切り離し（解放）後に順次行なう。
この実施例では、屋上（２１階）の床支躯体３ｓ上へのコンクリート床の形成を終えてから、間柱５ｂの上端と間柱５ｃの下端とを本接合し、かつ間柱５ｄの上端と間柱５ｅの下端とを本接合した。
しかし、下層スーパービームＳＢ１に中間部３の４階〜９階に床支躯体、コンクリート床、外装材、仕上材等を支持させ、かつ中層スーパービームＳＢ２に中間部３の１０階〜１５階の床支躯体、コンクリート床、外装材、仕上材等を支持させた後に、間柱５ｂの上端と間柱５ｃの下端とを本接合（再接合）し、上層スーパービームＳＢ３に中間部３の１６階〜２１階の床支躯体、コンクリート床及び外装材、仕上材等を支持させた後に、間柱５ｄの上端と間柱５ｅの下端とを本接合（再接合）させるようにしてもよい。
【００２３】
次に、構造物１０の中間部３の施工時期と下層、中層及び上層スーパービームＳＢ１〜ＳＢ３のレベル推移との関係を図１７を使って説明する。なお、下層、中層及び上層スーパービームＳＢ１〜ＳＢ３には、それらの架設時には所定量のむくりが付けてある。
（Ａ）下層スーパービームＳＢ１を架設しかつそれに中間部３の４階Ｆ４及び５階Ｆ５の床支躯体３ｂ，３ｃを構築した直後の施工時期が図１７の（ａ）の時期である。この時期の下層スーパービームＳＢ１のむくり量は最大である。
（Ｂ）下層スーパービームＳＢ１の上側に中間部３の６階Ｆ６の床支躯体３ｄを構築し、ベント架台４を撤去した直後の施工時期が図１７の（ｂ）の時期である。ベント架台４の撤去により下段スーパービームＳＢ１及び床支躯体３ｂ〜３ｄの重量の一部が下層スーパービームＳＢ１にかかるから、この時期の下層スーパービームＳＢ１のむくり量は最大より少々小さくなる。
（Ｃ）下層スーパービームＳＢ１の上側の中間部３に床支躯体３ｅ〜３ｇを構築した直後の施工時期が図１７の（ｃ）の時期である。この時期の下層スーパービームＳＢ１のむくり量は、０に近いプラスの小さい値になる。
【００２４】
（Ｄ）下層スーパービームＳＢ１に架設した４階Ｆ４及び５階Ｆ５の床支躯体３ｂ〜３ｃ上へのコンクリート床の形成が完了した直後の施工時期が図１７の(ｄ)の時期である。中間部３の４階Ｆ４及び５階Ｆ５のコンクリート床の重量分だけ下段スーパービームＳＢ１に作用する重力が増大するから、この時期の下段スーパービームＳＢ１のむくり量は０に近いマイナスの小さい値になる。
（Ｅ）下層スーパービームＳＢ１の上側に床支躯体３ｈ，３ｉを構築し、その上に中層スーパービームＳＢ２の下弦材ＳＢａを架設し、この下弦材ＳＢａと一体に床支躯体３ｊを構築した直後の施工時期が図１７の(ｅ)の時期である。この時期においては、下層スーパービームＳＢ１のむくり量はマイナスのある程度の値になり、中層スーパービームＳＢ２の下弦材ＳＢａのむくり量は最大である。（Ｆ）下層スーパービームＳＢ１の上側の６階Ｆ６〜８階Ｆ８の床支躯体３ｄ〜３ｆ上へのコンクリート床の形成を完了した直後の施工時期が図１７の(ｆ)の時期である。中間部３の６階〜８階のコンクリート床の重量分だけ下段スーパービームＳＢ１及び中段スーパービームＳＢ２の下弦材ＳＢａに作用する重力が増大するから、この時期においては、下段スーパービームＳＢ１のむくり量はマイナスのかなり値になり、中段スーパービームＳＢ２の下弦材ＳＢａのむくり量も少々小さくなる。
【００２５】
（Ｇ）中層スーパービームＳＢ２の下弦材ＳＢａの上側に上弦材ＳＢｂを架設して中層スーパービームＳＢ２を架設し、中層スーパービームＳＢ２の上弦材ＳＢｂと一体に中間部３の１０階Ｆ１０の床支躯体３ｋを構築し、かつ床支躯体３ｋの上に中間部３の１１階Ｆ１１及び１２階Ｆ１２の床支躯体３ｌ，３ｍを構築した直後の施工時期が図１７の（ｇ）の時期である。
増加分の重量、すなわち、中層スーパービームＳＢ２の上弦材ＳＢｂ及び床支躯体３ｋ〜３ｍの重量の一部が間柱５ａ〜５ｃを介して下層スーパービームＳＢ１及び中層スーパービームＳＢ２に作用するから、この時期においては、下段スーパービームＳＢ１のむくり量はマイナスの大きな値になり、中段スーパービームＳＢ２のむくり量も少々小さくなる。
（Ｈ）下層スーパービームＳＢ１の上側の中間部３の９階Ｆ９〜１１階Ｆ１１の床支躯体３ｇ〜３ｉ上へのコンクリート床の形成を完了させた直後の施工時期が図１７の（ｈ）の時期である。増加分の重量、すなわち、中間部３の９階〜１１階のコンクリート床の重量の一部が間柱５ａ〜５ｃを介して下層スーパービームＳＢ１及び中層スーパービームＳＢ２に作用するから、この時期においては、下層スーパービームＳＢ１のむくり量はマイナスの最大値になり、中層スーパービームＳＢ２のむくり量も小さくなる。
（Ｉ）間柱５ｂの上端と間柱５ｃの下端との仮接合具６による仮接合を解いて、間柱５ｂと間柱５ｃとの連結を切り離し（解放）した直後の施工時期が図１７の（ｉ）の時期である。間柱５ｃに加わっていた荷重が間柱５ｂに伝達されなくなるから、下層スーパービームＳＢ１で支えていた荷重がそれだけ少なくなり、下層スーパービームＳＢ１のむくりはマイナスの比較的小さい値になる。中層スーパービームＳＢ２が支えるべき荷重は、下層スーパービームＳＢ１による支えが無くなった分だけ増加するから、中層スーパービームＳＢ２のむくり量はマイナスの小さい値になる。
【００２６】
（Ｊ）中層スーパービームＳＢ２の上側の中間部３の１６階Ｆ１６〜１８階Ｆ１８の床支躯体３ｎ〜３ｐを構築した直後の施工時期が図１７の(ｊ)の時期である。  増加分の重量、すなわち、中間部３の１６階〜１８階の床支躯体３ｎ〜３ｐの重量の一部が間柱５ｄ，５ｅを介して中層スーパービームＳＢ２に作用するから、この時期においては、中層スーパービームＳＢ２のむくり量はマイナスのある程度の値になる。
（Ｋ）中間部３の１２階Ｆ１２〜１４階Ｆ１４の床支躯体３ｊ〜３ｌ上へのコンクリート床の形成を完了させた直後の施工時期が図１７の(ｋ)の時期である。
増加分の重量、すなわち、中間部３の１２階〜１４階のコンクリート床の重量の一部が間柱５ｄ，５ｅを介して中層スーパービームＳＢ２に作用するから、この時期(ｋ)においては、中層スーパービームＳＢ２のむくり量はマイナスのかなり大きい値になる。
（Ｌ）中層スーパービームＳＢ２の上側の中間部３の１９階Ｆ１９の床支躯体３ｑを構築し、下弦材ＳＢａ、上弦材ＳＢｂ等からなる上層スーパービームＳＢ３を架設し、下弦材ＳＢａと一体に中間部３の２０階Ｆ２０の床支躯体３ｒを構築し、上弦材ＳＢｂと一体に中間部３の屋上階（２１階）Ｆ２１の床支躯体３ｓを構築した直後の施工時期が図１７の(ｌ)の時期である。
増加分の重量、すなわち、上層スーパービームＳＢ３及び中間部３の１９階〜２１階の床支躯体３ｑ〜３ｓの重量の一部が間柱５ｄ〜５ｆを介して中層スーパービームＳＢ２に作用するとともに、前記重量の一部が上層スーパービームＳＢ３に作用するから、この時期においては、中層スーパービームＳＢ２のむくり量はマイナスの最大に近い値になり、上層スーパービームＳＢ３のむくり量はプラスの所定値になる。
【００２７】
（Ｍ）中間部３の１５階Ｆ１５〜１７階Ｆ１７の床支躯体３ｍ〜３ｏ上へのコンクリート床の形成を完了させた直後の施工時期が図１７の（ｍ）の時期である。
増加分の重量、すなわち、中間部３の１５階〜１７階のコンクリート床の重量の一部が間柱５ｄ〜５ｆを介して中層スーパービームＳＢ２及び上層スーパービームＳＢ２に作用するから、この時期においては、中層スーパービームＳＢ２のむくり量はマイナスの最大値になり、上層スーパービームＳＢ３のむくり量はプラスのある程度の値になる。
（Ｎ）間柱５ｄの上端と間柱５ｅの下端との仮接合具７による仮接合を解いて、間柱５ｄと間柱５ｅとの連結を切り離し（解放）した直後の施工時期が図１７の（ｎ）の時期である。間柱５ｅに加わっていた荷重が間柱５ｄに伝達されなくなるから、中層スーパービームＳＢ２で支える荷重がその分だけ少なくなり、中層スーパービームＳＢ２のむくりはマイナスの比較的小さい値になる。上層スーパービームＳＢ３が支えるべき荷重が、中層スーパービームＳＢ２による支えが無くなった分だけ増加するから、上層スーパービームＳＢ３のむくり量はマイナスの非常に小さい値になる。
【００２８】
（Ｏ）中間部３の１８階Ｆ１８〜２０階Ｆ２０の床支躯体３ｐ〜３ｒ上へのコンクリート床の形成を完了させた直後の施工時期が図１７の（ｏ）の時期である。上層スーパービームＳＢ３のむくり量はマイナスの小さい値になる。
（Ｐ）中間部３の屋上階（２１階）Ｆ２１の床支躯体３ｓ上へのコンクリート床の形成を完了させた直後の施工時期が図１７の（ｐ）の時期である。上層スーパービームＳＢ３のむくり量はマイナスのある程度の値になる。
なお、構造物１０の外装、仕上等の工事は、例えば、その床支躯体３ｂ〜３ｇに対しては、間柱５ｂと間柱５ｃとの仮接合具６による連結部の切り離し（解放）後に順次行ない、その床支躯体３ｈ〜３ｓに対しては、間柱５ｄと間柱５ｅとの仮接合具７による連結部の切り離し（解放）後に順次行なうが、間柱５ｂ、５ｄと間柱５ｃ，５ｅとの仮接合具６，７による連結部の切り離し（解放）前に、床支躯体３ｂ〜３ｇ，３ｈ〜３ｍ上のコンクリート床上に外装材、仕上材等を載せておけば、構造物１０の完成後における下層、中層及び上層スーパービームＳＢ１〜ＳＢ３のレベルの変化量を少なく抑えることができる。
【００２９】
【発明の効果】
特許請求の範囲の各請求項記載の発明は、各請求項に記載の構成を備えることにより、次の（イ）〜（ハ）の効果を奏する。
（イ）請求項１記載の建方工法は、次の（１）〜（４）の効果を奏する。
（１）中層スーパービームの架設又は中層スーパービームの上側への複数の間柱に結合しての床を支持する床支躯体の１層以上の架設と、少なくとも下層スーパービームと中層スーパービームとの中間の部分以下の各床支躯体上へのコンクリート床の形成とを条件として、下層スーパービームと中層スーパービームとを連結する各間柱の中間を仮接合部で切り離し、各間柱の切り離し部より上方の中層スーパービーム及び中層スーパービームに支持される床支躯体等の荷重の一部が下層スーパービームにかからないようにし、また、上層スーパービームの架設と、少なくとも中層スーパービームと上層スーパービームとの中間の部分以下の各床支躯体上へのコンクリート床の形成とを条件として、中層スーパービームと上層スーパービームとを連結する間柱の中間を仮接合部で切り離し、各間柱の切り離し部より上方の上層スーパービーム及び上層スーパービームに支持される床支躯体等の荷重の一部が中層スーパービームにかからないようにするから、中層及び上層スーパービームの架設、中層スーパービームと上層スーパービームとの間の多数層の床支躯体の架設、前記床支躯体上へのコンクリート床の形成を複数の間柱による支持及び結合のもとに行なっても、下層及び中層スーパービームに大きな荷重がかかり過ぎることがなく、下層、中層及び上層の同じレベルに間隔をおいて配する少なくとも２つの下層、中層及び上層スーパービームに略均一な荷重をかけることが容易にできる。
（２）下層スーパービームと中層スーパービームとの間及び中層スーパービームと上層スーパービームとの間を連結する各間柱を建てるときに、それらの中間の切り離し個所に間柱の節の仮接合部が位置するようにして、前記仮接合部では下方の間柱の節の上端と上方の間柱の節の下端との間に隙間をあけて、下方の節の間柱の上側に上方の節の間柱を建てて下方の間柱の節の上部と上方の間柱の節の下部とを仮接合具を使って仮接合しておいて、仮接合具による仮接合部で間柱の中間の切り離しを行うから、間柱の切り離し作業が容易になり、かつ切り離し後の本接合（再接合）の作業も容易になり、その本接合を強固にかつ本接合部を綺麗にすることができる。
そのうえ、仮接合部では下方の節の間柱の上側に上方の節の間柱を建てて下方の間柱の節の上部と上方の間柱の節の下部とを仮接合具を使って仮接合しておくから、下層スーパービーム又は中層スーパービームに結合して建てられた間柱の仮接合部より上の部分に梁を結合して行う床支躯体の形成を容易に行うことができる。
【００３０】
（３）中層スーパービームの架設又は中層スーパービームの上側への複数の間柱に結合しての床を支持する床支躯体の１層以上の架設と、少なくとも下層スーパービームと中層スーパービームとの中間の部分以下の各床支躯体上へのコンクリート床の形成とを条件として、下層スーパービームと中層スーパービームとを連結する各間柱の中間の部分を切り離し、各間柱の切り離し部より上方の複数層の床支躯体及び中層スーパービーム等の荷重の一部が下層スーパービームにかからないようにするから、各間柱の切り離し部より下方の複数層の床支躯体を支持する下層スーパービームに床支躯体上に形成したコンクリート床の荷重等の一部がかかった状態になっており、各間柱の切り離し部より下方に位置する床支躯体や下層スーパービームに、前記コンクリート床よりも軽い外装材、仕上材等を取り付けても、下層スーパービームや床支躯体の変形が比較的小さくなる。また、中層スーパービームと上層スーパービームとを連結する各間柱の中間の部分を切り離した場合も同様の効果が得られる。そのため、早期に外装、仕上等の工事を行なうことができ、工期の短縮に役立つ。
（４）少なくとも各床支躯体上へコンクリート床を設けることにより下層、中層及び上層スーパービームに所定の荷重がかかった状態にした後に、各間柱の切り離し部を本接合するから、下層、中層及び上層スーパービームが分担する荷重を略均一にすることができ、かつ構造物の完成後の下層、中層及び上層スーパービーム、床支躯体等の変形量を小さく抑えることができる。
【００３１】
（ロ）請求項２記載の建方工法は、前記（１）〜（４）の効果を奏し得るだけでなく、次の（５）及び（６）の効果を奏する。
（５）下層の同じレベルに間隔をおいて配する少なくとも２つの下層スーパービームをスーパーコラム間の下部に仮設した複数の架台上において組み立てて、その両端をスーパーコラムに接合し、下層スーパービームの下弦材間及び上弦材間に床を支持する床支躯体を前記下弦材又は上弦材及びスーパーコラムにその端を結合してそれぞれ架設し、下層スーパービームの上側に下層スーパービームに結合して建てられている複数の間柱に梁を結合してなる床支躯体をスーパーコラムにその端を結合して１層架設した後に、各架台を撤去するから、架台に大きな荷重が作用することがなく、各架台の仮設部であるスーパーコラム間の下部躯体の補強工事が簡単になる。また、架台を早期に撤去できるから、下層スーパービームの下方の空間を自由に使用することができ、工期の短縮を図ることができる。
（６）下層スーパービームの下弦材間及び上弦材間に床を支持する床支躯体を前記下弦材又は上弦材及びスーパーコラムにその端を結合してそれぞれ架設することにより、各下層スーパービーム、下層スーパービームの下弦材に結合された床支躯体及び下層スーパービームの上弦材に結合された床支躯体からなる少なくとも２つの下層スーパービームを含む構造体は、互いに結合されて一体化されて強化され、そのうえ、前記構造体は、その上方に下層スーパービームに複数の間柱を介して結合されかつその端がスーパーコラムに結合されている１層の床支躯体が付加結合されて一体化されていて、更に強化されるから、架台を撤去しても、各下層スーパービームの上方の１層の床支躯体の上側へ、建てられた複数の間柱に梁を接合して床を支持する床支躯体を多数層架設したり、これらの多数層の床支躯体の上側へ間柱に接合して中層スーパービームを架設したり、中層スーパービームの上側に多数層の床支躯体を架設したりすることができ、仮設の足場、架台等の使用も通常の鉄骨造の多層構造物の建方と同程度で済み、施工性が向上する。
【００３２】
（ハ）請求項３記載の建方工法は、前記（１）〜（６）の効果を奏し得るだけでなく、次の（７）の効果を奏する。
（７）架設時にむくりを付けて下層、中層及び上層スーパービームを形成して、下層スーパービームと中層スーパービームとを連結する間柱の中間を仮接合部で切り離した直後に、下層スーパービームのむくり量がマイナスの小さな値になり、中層スーパービームと上層スーパービームとを連結する間柱の中間を仮接合部で切り離した直後に、中層スーパービーム及び上層スーパービームのむくり量がマイナスの小さな値になるようにするから、多層構造物の完成後においても、下層、中層及び上層スーパービームの中間部を略水平に維持することができる。
【図面の簡単な説明】
【図１】  実施例の多層構造物の概略的な正面図
【図２】  実施例の多層構造物の概略的な側面図
【図３】  図１に示す多層構造物のＡ−Ａ線で断面した平面図
【図４】  図１に示す多層構造物のＢ−Ｂ線で断面した平面図
【図５】  実施例の間柱を仮接合する仮接合具の正面図
0003755117.tif 000002
【図１７】  実施例の多層構造物の下層スーパービーム、中層スーパービーム及び上層スーパービームの施工時期に応じたレベル推移を示す線図
【符号の説明】
１０  多層構造物
３  構造物の中間部
３ａ  中間部の地下躯体
３ａ１  中間部の１階の床
３ｂ〜３ｒ  床支躯体
３ｂ１  外側梁
３ｂ２  短手方向梁
３ｂ３  長手方向梁
３ｓ  屋上階の床支躯体
４  ベント
５ａ〜５ｆ  間柱
６，７  仮接合具
６ａ１，６ａ２、７ａ１，７ａ２  接合片
６ｂ，７ｂ  接合板
Ａｓ  アトリウム等となる吹き抜けの空間
Ｂ１〜Ｂ４  スーパーコラムの梁
ＢＦ１，ＢＦ２  地下１階、地下２階
Ｃ１〜Ｃ８  スーパーコラムの第１節〜第８節の柱
Ｄｂ１，Ｄｂ２  スーパーコラムの筋かい
Ｆ１〜Ｆ２０  １階〜２０階
Ｆ２１  屋上階
ＢＦ１，ＢＦ２  地下１階、地下２階
Ｆｍ  基礎
ＳＢ１  下層スーパービーム
ＳＢ２  中層スーパービーム
ＳＢ３  上層スーパービーム
ＳＢａ  スーパービームの下弦材
ＳＢｂ  スーパービームの上弦材
ＳＢｃ  スーパービームの束材
ＳＢｂ  スーパービームの筋かい
ＳＣ１  第１スーパーコラム
ＳＣ２  第２スーパーコラム
【図１】
0003755117.tif 000003
【図２】
0003755117.tif 000004
【図３】
0003755117.tif 000005
【図４】
0003755117.tif 000006
【図５】
0003755117.tif 000007
【図６】
0003755117.tif 000008
【図７】
0003755117.tif 000009
【図８】
0003755117.tif 000010
【図９】
0003755117.tif 000011
【図１０】
0003755117.tif 000012
【図１１】
0003755117.tif 000013
【図１２】
0003755117.tif 000014
【図１３】
0003755117.tif 000015
【図１４】
0003755117.tif 000016
【図１５】
0003755117.tif 000017
【図１６】
0003755117.tif 000018
【図１７】
0003755117.tif 000019